(57)【要約】  【課題】  エジェクトボタンに係るデザインの自由度を高めると共に、カードの不用意な離脱を防止する。【解決手段】  スロット３を通じて挿入されるカードＫを収容する収容コネクタ７のエジェクト機構を作動させるエジェクト棒８の先端部８ａに対向して、筐体のデザインに合致した別部材のエジェクトボタン４を押込み可能に配置する。エジェクトボタン４のロックを行うスライド部材６を筐体内部に設けられる支持部材１１に対して摺動可能に取り付け、スライド部材６がエジェクトボタン４のロックを解除した位置にあることをセンサ２０で検知する。スライド部材６は、摺動位置によりエジェクトボタン４のロック及びロック解除を切り替えて、不用意にエジェクトボタン４が押し込まれてもカードＫが離脱することを防止する。【選択図】      図３
2006092359.tif 000002
【特許請求の範囲】
【請求項１】
筐体に形成した挿入口を通じて挿入されるカードを収容する収容部、及び該収容部に併設してある被押圧体を備え、該被押圧体が押圧されることに伴い前記収容部に収容されたカードを前記収容部から離脱するようにしてある電気機器において、
筐体内への押し込みが可能であり、押し込まれた場合に前記被押圧体を押圧するように前記被押圧体に対向配置してある押込み釦と、
該押込み釦を押込み可能状態又は押込み不可能状態に選択的に切り替える切替部材とを備えることを特徴とする電気機器。
【請求項２】
前記切替部材は、
直線状に移動することが可能であり、
移動範囲の一端側に位置する場合に前記押込み釦の押込みと干渉する干渉部を備える請求項１に記載の電気機器。
【請求項３】
前記切替部材は、前記筐体に対向するように配置してあり、
前記筐体は、前記切替部材と対向する箇所に前記移動範囲に応じた長さの孔を形成しており、
前記切替部材は、前記孔を通じて筐体の外方へ突出する突出部を備える請求項２に記載の電気機器。
【請求項４】
前記カードにはデータが記憶されており、
前記収容部に収容されたカードからデータを取得するデータ取得手段と、
前記押込み釦が押込み可能状態であるか否かを検知する検知手段と、
該検知手段が押込み可能状態であることを検知した場合、前記データ取得手段がデータを取得することを停止させる手段と
を備える請求項１乃至請求項３のいずれか１つに記載の電気機器。
【請求項５】
前記カードにはデジタル放送の放送波に係る処理用のデータが記憶されており、
デジタル放送の放送波を受信する受信手段と、
該受信手段が受信した放送波に対する処理を前記データ取得手段が取得したデータに基づき行う放送波処理手段と
を備えることを特徴とする請求項４に記載の電気機器。
【発明の詳細な説明】
【技術分野】
【０００１】
本発明は、デジタル放送の受信に係る半導体カード、又は記憶メディアカード等のカードを装着できるようにした電気機器に関する。
【背景技術】
【０００２】
従来、電気機器の中で携帯型のパーソナルコンピュータ、ＰＤＡ（Personal Digital Assistant）と云った情報機器、デジタルカメラ、デジタルビデオカメラのような撮像機器等には、ＰＣＭＣＩＡ（Personal Computer Memory Card International Association）が策定した規格に準じたＰＣカード、コンパクトフラッシュ（Compact Flash  登録商標）の規格に準じたＣＦカード等のカードの装着を可能にしているものがある。このようなカードの種類には、半導体メモリを内蔵した記憶媒体、有線又は無線での通信機能を備えた通信機器等のように様々なものが存在する。
【０００３】
また、地上波デジタルテレビジョン放送、ＢＳデジタル放送、又は１１０度ＣＳデジタル放送等の各種デジタル放送の受信を行うデジタルチューナ機能を備えた電気機器は、デジタル放送の暗号化された放送波に対する暗号解除用のデータを記憶するＢ−ＣＡＳカードと云うカードを装着できるようにしている。
【０００４】
上述したような各種カードを装着する電気機器は、開口したスロットを筐体に形成すると共に、筐体の内部にコネクタを設けて、スロットを通じて挿入されたカードをコネクタで保持収容する。また、収容対象のカードがＣＦカード以上の大きさの場合、コネクタにはエジェクト機構が併設されることが一般的である。コネクタにエジェクト機構が設けられる場合、筐体のスロットの傍にエジェクト機構を作動させるエジェクト棒の端部を表出させて、このエジェクト棒の端部をユーザが押圧することでコネクタからカードを離脱させる。
なお、収容したカードの脱落防止に関しては下記の特許文献１に開示されている。
【特許文献１】特開平５−１４５８８１号公報
【発明の開示】
【発明が解決しようとする課題】
【０００５】
エジェクト機構を作動させるためのエジェクト棒の端部を表出させる場合、電気機器の筐体に対してエジェクト棒の端部をデザイン的にマッチさせて配置することは困難であるので、表出するエジェクト棒の端部が電気機器の外観デザインを損なわせると云う問題がある。特に、この問題は筐体前面にスロットを設ける電気機器では顕著になる。
【０００６】
また、エジェクト棒は、コネクタにカードが収容されていれば、機器の作動状態に関係なく押圧可能になるため、カードと機器との間でデータの送受が行われている場合でもエジェクト棒が押圧されるとカードが離脱する。このような状況でのカードの離脱は、送受されていたデータの消滅、機器の作動不良等と云った各種不具合を引き起こす。例えば、受信中のデジタル放送の番組を録画している録画装置のエジェクト棒が録画中に誤って操作されてＢ−ＣＡＳカードが離脱すると、正常な受信が不可能となり、録画内容が台無しになる。
【０００７】
本発明は、斯かる問題に鑑みてなされたものであり、エジェクト棒とは別体のエジェクトボタンを設けることで、筐体のデザイン性を高めるようにした電気機器を提供することを目的とする。
また、本発明は、エジェクト機構を作動できる状態とできない状態とに切り替える機構を設けて種々の不具合の発生を防止する電気機器を提供することを目的とする。
さらに、本発明は、エジェクト機構を作動できる状態であればカードとのデータ送受を停止状態にして不具合の発生を未然に防ぐようにした電気機器を提供することを目的とする。
【課題を解決するための手段】
【０００８】
上記課題を解決するために本発明に係る電気機器は、筐体に形成した挿入口を通じて挿入されるカードを収容する収容部、及び該収容部に併設してある被押圧体を備え、該被押圧体が押圧されることに伴い前記収容部に収容されたカードを前記収容部から離脱するようにしてある電気機器において、筐体内への押し込みが可能であり、押し込まれた場合に前記被押圧体を押圧するように前記被押圧体に対向配置してある押込み釦と、該押込み釦を押込み可能状態又は押込み不可能状態に選択的に切り替える切替部材とを備えることを特徴とする。
【０００９】
本発明にあっては、筐体内へ押込み可能な押込み釦をカード離脱用の被押圧体と別体にして対向配置するので、筐体表面には被押圧体ではなく、自由にデザインできる押込み釦が表出するようになり、筐体のデザイン性を高められる。また、押込み釦は切替部材により押込み可能状態と押込み不可能状態とに切り替えられるので、カードが収容されている場合は、切替部材により押込み釦を押込み不可能状態にすることにより、不用意なカードの離脱を確実に防止できるようになる。
【００１０】
また、本発明に係る電気機器は、前記切替部材は、直線状に移動することが可能であり、移動範囲の一端側に位置する場合に前記押込み釦の押込みと干渉する干渉部を備えることを特徴とする。
本発明にあっては、切替部材を直線状に移動可能にして、移動範囲の一端側で押込み釦と干渉させるので、切替部材の位置を移動させる操作を行うことにより押込み釦の押込み可能状態と押込み不可能状態とを容易に切り替えられる。
【００１１】
さらに、本発明に係る電気機器は、前記切替部材は、前記筐体に対向するように配置してあり、前記筐体は、前記切替部材と対向する箇所に前記移動範囲に応じた長さの孔を形成しており、前記切替部材は、前記孔を通じて筐体の外方へ突出する突出部を備えることを特徴とする。
本発明にあっては、筐体に形成された切替部材の移動範囲に応じた長さの孔より突出する突出部を切替部材に設けることで、突出部により切替部材を移動させる操作を確実に行えるようになり、さらに、移動範囲に応じた長さの孔により移動範囲を超えるような操作が切替部材に対して行われることを防止でき、切替部材に対する良好な操作性を確保できる。
【００１２】
また、本発明に係る電気機器は、前記カードにはデータが記憶されており、前記収容部に収容されたカードからデータを取得するデータ取得手段と、前記押込み釦が押込み可能状態であるか否かを検知する検知手段と、該検知手段が押込み可能状態であることを検知した場合、前記データ取得手段がデータを取得することを停止させる手段とを備えることを特徴とする。
本発明にあっては、押込み釦が押込み可能状態であるか否かを検知手段で検知し、押込み可能状態であることが検知されると、カードからのデータの取得を行わないので、カードが不用意に脱離しても、カードに対する処理を行っていないため、処理中のカード脱離に伴う各種不具合の発生を確実に防止できるようになる。
【００１３】
さらに、本発明に係る電気機器は、前記カードにはデジタル放送の放送波に係る処理用のデータが記憶されており、デジタル放送の放送波を受信する受信手段と、該受信手段が受信した放送波に対する処理を前記データ取得手段が取得したデータに基づき行う放送波処理手段とを備えることを特徴とする。
本発明にあっては、カードから取得したデータに基づきデジタル放送の放送波に係る処理を行うことに対して、処理中にカードが不用意に脱離することが防止されるので、デジタル放送を確実に受信でき、カード離脱によるデジタル放送の受信に対する不具合の発生を防止できるようになる。
【発明の効果】
【００１４】
本発明にあっては、筐体内へ押込み可能な押込み釦をカード離脱用の被押圧体と別体にして対向配置するので、筐体のデザイン性を高めることができ、また、押込み釦を切替部材で押込み可能状態と押込み不可能状態とに切り替えることで、不用意なカードの離脱を確実に防止できる。
【００１５】
また、本発明にあっては、切替部材を直線状に移動可能にして、移動範囲の一端側で押込み釦に干渉させるので、切替部材の移動操作により押込み釦の押込み可能状態と押込み不可能状態とを容易に切り替えられる。
さらに、本発明にあっては、切替部材の移動範囲に応じた長さの孔より突出する突出部を切替部材に設けることで、切替部材の移動操作を確実に行うことができ、切替部材に対する良好な操作性を提供できる。
【００１６】
また、本発明にあっては、押込み可能状態であることが検知されると、カードからのデータの取得を行わないので、処理中のカード脱離に伴う各種不具合の発生を確実に防止できる。
さらに、本発明にあっては、カード離脱によるデジタル放送の受信に対する不具合の発生を防止できる。
【発明を実施するための最良の形態】
【００１７】
図１は、本発明の実施形態に係る電気機器に相当するデジタル放送の受信機能を備えた録画装置１の斜視図である。録画装置１は、直方体状の筐体２の前面２ａにカードＫ（Ｂ−ＣＡＳカード）の挿入用のスロット（挿入口）３を形成しており、スロット３の右横方にはカードＫのエジェクト用のエジェクトボタン４（押込み釦に相当）を配置し、さらに、エジェクトボタン４の右横方にはエジェクトボタン４のロック用のスライド部材６（切替部材に相当）を水平方向に摺動可能に設けている。
【００１８】
エジェクトボタン４は、図２にも示すように、筐体２の内部に配置されてスロット３から挿入されるカードＫを収容する収容コネクタ７（収容部に相当）に併設されるエジェクト棒８（被押圧体に相当）とは別体で設けられている。そのため、エジェクトボタン４は、エジェクト棒８に束縛されることなく自由にデザインできるようになる。本実施形態では、エジェクトボタン４は筐体２の前面デザインに合わせて大型の正方形にされて筐体２の前面２ａに設けた四角穴２ｂの中に配置され、筐体２のデザイン性の向上を図ると共に、エジェクトボタン４の操作性も高めている。なお、四角穴２ｂに配置されたエジェクトボタン４は、裏面４ａの一部がエジェクト棒８の先端部８ａと近接して対向する位置関係になっている（図２、図３（ａ）（ｂ）参照）。
【００１９】
また、エジェクトボタン４は、裏面４ａの上下箇所よりブーメラン状の取付部９ａ、９ｂを夫々延出し、各取付部９ａ、９ｂを筐体２の内部に設けられた四角棒状の支持部材１１の上下側面１１ｂ、１１ｃにピン１０で回動可能に取り付けている。よって、エジェクトボタン４は、各取付部９ａ、９ｂを介してピン１０を中心に回動でき、筐体内へ押し込み可能にされている。なお、エジェクトボタン４の取付部９ａ、９ｂは図示しないバネにより付勢されており、それによりエジェクトボタン４はバネの反力に抗して押し込むようになっている。
【００２０】
一方、スライド部材６は、所要の厚さを有する長板部１６に凹状のガイド部１７を組み合わせた形状で成形されており、支持部材１１の前面１１ａに沿って直線状に摺動可能になっている。スライド部材６は、長板部１６のエジェクトボタン４側になる一端部１６ａをエジェクトボタン４の押込みに干渉させる干渉部にしており、長板部１６の前面１６ｂにはレバー６ａ（突出部に相当）を突出している。このレバー６ａは、スライド部材６が対向する筐体２のエジェクトボタン４の右横方となる箇所に形成した横長の矩形孔５を挿通して筐体２の外方へ突出する。矩形孔６ａの長手方向の寸法は、スライド部材６の摺動範囲に対応しており、矩形孔６ａでスライド部材６の摺動範囲を規制すると共に、レバー６ａによりユーザがスライド部材６の容易に摺動操作をできるようにしている。
【００２１】
また、スライド部材６のガイド部１７は、長板部１６のレバー６ａが設けられた箇所付近から他端部１６ｃ側の範囲に設けられている。ガイド部１７は、支持部材１１の前面１１ａと当接する摺動面を有する摺動部１７ａと、摺動部１７ａの上下両端より支持部材１１の上下側面１１ｂ、１１ｃに当接するように突出する当接部１７ｂ、１７ｃとを有し、全体的に凹状になっている。ガイド部１７は、当接部１７ｂ、１７ｃが支持部材１１の上下側面１１ｂ、１１ｃに当接することで摺動方向のズレを防止し、筐体２の前面２ａと平行的な位置関係を維持してスムーズな摺動を実現している。
【００２２】
なお、ガイド部１７及び支持部材１１には、スライド部材６が摺動範囲の両端で夫々位置決めされるように、緩やかな係合が行われるノッチと凸部がそれぞれに形成されている。また、スライド部材６のガイド部１７は、上側の当接部１７ｂの他端部１６ｃ側に板状の被検知部１８を突出している。
【００２３】
一方、スライド部材６を摺動させる支持部材１１の上面１１ｂには、スライド部材６がエジェクトボタン４から離反した側の摺動端に位置することを検知するリミットスイッチ２０ａを有するセンサ２０を取り付けている。図３（ｂ）に示すように、スライド部材６がエジェクトボタン４から離れた摺動端に位置する場合、センサ２０のリミットスイッチ２０ａはスライド部材６の被検知部１８により押し込まれ、センサ２０がスライド部材６の位置の電気的に検知できるようにしている。
【００２４】
なお、図２に示すように、収容コネクタ７は、カードＫを挿入する開口７ａが筐体２のスロット３に一致するように筐体２の内部に配置されており、収容されたカードＫを離脱させるエジェクト機構に係るＬ字状片７ｂを後端から突出し、収容コネクタ７に併設されるエジェクト棒８の後端部８ｂと結合させている。そのため、エジェクト棒８が押圧によりカードＫの挿入方向と同方向へ移動すると、Ｌ字状片７ｂが連動して収容コネクタ７のエジェクト機構を作動させ、収容されたカードＫを離脱させる。
【００２５】
次に、上述した構成のスライド部材６を摺動させることによりエジェクトボタン４をロック解除状態（押込み可能状態）と、ロック状態（押込み不可能状態）とに選択的に切り替える状況を説明する。
先ず、図２、図３（ａ）に示すように、スライド部材６がエジェクトボタン４側に摺動端に位置する場合、スライド部材６の長板部１６の一端部１６ａが上下の取付部９ａ、９ｂの間を通過してエジェクトボタン４の裏面４ａ側に位置する。この場合、図３（ａ）に示すように、ユーザがエジェクトボタン４を押し込もうとしても、スライド部材６の一端部１６ａがエジェクトボタン４の裏面４ａと当接して干渉し、エジェクトボタン４の押し込みが防止されてエジェクトボタン４はロック状態になる。
【００２６】
図３（ａ）のロック状態から図３（ｂ）に示すように、ユーザがレバー６ａに指をかけてスライド部材６をエジェクトボタン４から離反する側の摺動端へ移動させると、スライド部材６の一端部６ａがエジェクトボタン４から離れてエジェクトボタン４はロック解除状態になる。また、ロック解除状態では、センサ２０のリミットスイッチ２０ａが被検知部１８により押し込まれ、センサ２０はスライド部材６がエジェクトボタン４から離反した摺動端に位置すること、即ちロック解除状態であることを検知する。
【００２７】
ロック解除状態では、図４に示すように、ユーザによりエジェクトボタン４が押し込まれると、エジェクト棒８の先端部８ａがエジェクトボタン４の裏面４ａで押圧されてエジェクト棒８が図中の白矢印方向へ移動する。このエジェクト棒８の移動により収容コネクタ７のエジェクト機構が作動し、収容コネクタ７にカードＫが収容されていれば、そのカードＫを離脱する。
【００２８】
図５は、本実施形態の録画装置１の主要な内部構成を示すブロック図である。録画装置１は、デジタル放送の放送波の受信処理を行うチューナ部２１（受信手段に相当）、暗号化された放送波のデコード処理を行うデコード部２２（放送波処理手段に相当）、外部の表示装置（テレビジョン装置等）と接続されて、デコードされた内容（放送番組）を外部の表示装置で表示するための処理を行う表示処理部２３、デコードされた内容を図示しない記憶媒体に記憶すると共に記憶した内容を再生する処理を行う録画・再生処理部２４、及び各種制御を行うＣＰＵ２５を有する。
【００２９】
ＣＰＵ２５は、ロック解除状態を検知するセンサ２０と接続される共に、カードＫを収容する収容コネクタ７とコネクタインタフェース部２６を介して接続されている。なお、ＣＰＵ２５は、リモコン装置３０からの操作指示を受け付けるリモコン受光部２７、及び装置本体に設けられた操作部２８とも接続されている。
【００３０】
センサ２０は検知手段に相当し、図３（ｂ）に示すように、リミットスイッチ２０ａが被検知部１８により押し込まれてロック解除状態を検知すると、検知信号をＣＰＵ２５へ送る。コネクタインタフェース部２６はデータ取得手段に相当し、ＣＰＵ２５の制御に基づき収容コネクタ７に収容されているカードＫが記憶するデコード処理用のデータをカードＫから読み出してＣＰＵ２５へ伝送する処理を行う。
【００３１】
また、ＣＰＵ２５は、図示しないメモリに記憶されたプログラムに基づき所要の制御処理を行っており、録画装置１の電源スイッチがオンされてユーザからリモコン装置３０又は操作部２８を介して指示を受け付けると、その指示に応じた作動を行うように各部２１、２２等に対する制御を行う。例えば、デジタル放送の所要チャンネルの番組を受信する指示を受け付けると、ＣＰＵ２５はチューナ部２１で指示されたチャンネルの放送波を受信し、受信した放送波に係る暗号化された放送内容をデコードするためにカードＫからコネクタインタフェース部２６を介してデコード処理用のデータを読み出し、そのデータに基づきデコード部２２でデコード処理を行わせる。なお、デコードした放送内容は表示処理部２３又は録画・再生処理部２４へ送られ、表示又は録画処理が行われる。
【００３２】
本実施形態でＣＰＵ２５が行う特徴的な処理としては、センサ２０から検知信号が送られている間にユーザからデジタル放送の番組受信の指示を受け付けても、番組受信に係る処理を行わないことが挙げられる。即ち、センサ２０から検知信号がＣＰＵ２５へ送られていない場合、ＣＰＵ２５は通常通りにユーザから受け付けた指示通りに各種制御処理を行うが、一方、センサ２０から送られる検知信号を受けている場合、ＣＰＵ２５はコネクタインタフェース部２６でカードＫからデコード処理用のデータを読み出すことを停止するように制御を行う。
【００３３】
そのため、録画装置１は、センサ２０から検知信号が送られると云うロック解除状態では、収容コネクタ７にカードＫが収容されていてもデジタル放送に係るデコード処理が行えなくなる。デコード処理を行って正常な放送内容にするには、図３（ａ）に示すようにスライド部材６をエジェクトボタン４側の摺動端へ移動させてエジェクトボタン４をロック状態にし、センサ２０からの検知信号がＣＰＵ２５へ送られないようにする必要がある。ロック状態であれば、エジェクトボタン４は押し込めないので、デジタル放送の受信中に誤ってエジェクトボタン４が押されても収容コネクタ７のエジェクト機構が作動することはなく、カードＫが離脱することもない。その結果、デジタル放送の番組録画が台無しになるような事態は未然に防止される。
【００３４】
また、本実施形態の録画装置１は、ロック解除状態でユーザからデジタル放送の受信指示を受け付けた場合、ユーザにスライド部材６をエジェクトボタン４側へ移動させてロック状態にすることを促すために、図６に示す警告画面３１を表示する処理を行うようにしている。警告画面３１に係るデータは、図５に示さないメモリ部に予め記憶されており、ＣＰＵ２５がセンサ２０からの検知信号を受けているときに、リモコン受光部２７又は操作部２８からデジタル放送受信の指示を受け付けると、メモリ部から警告画面３１に係るデータを読み出して表示処理部２３へ送り、表示処理部２３は接続されている外部の表示装置へデータを出力し、警告画面３１を表示させる。
【００３５】
なお、録画装置１に係るエジェクトボタン４に係るロック機構は上述した形態に限定されるものではなく、種々の変形例の適用が可能である。例えば、スライド部材６は、エジェクトボタン４と干渉する以外に、係止、係合する構成等を適用でき、スライド部材６の形状を変更しエジェクトボタン４の取付部９ａ、９ｂを係止すること、エジェクト棒８が動かないように係合する構成等も適用可能である。さらには、エジェクトボタン４のロック状態とロック解除状態とを切り替えるためには、摺動式のスライド部材６を必ず使用する必要はなく、押込み式の部材でエジェクトボタン４に対するロックの状態を切り替えるようにしてもよい。
【００３６】
また、本発明は、録画装置以外にも、Ｂ−ＣＡＳカードを挿入してデジタル放送を受信できるテレビジョン装置にも勿論適用可能であり、さらには、カードＫがＢ−ＣＡＳカード以外の他のカード、例えばメモリカード、通信カード等であれば、そのようなカードの挿入に対応した電気機器に広く適用することも可能である。
【図面の簡単な説明】
【００３７】
【図１】本発明の実施形態に係る録画装置の斜視図である。
【図２】収容コネクタ、及びエジェクトボタン等に係る構成を示す拡大斜視図である。
【図３】（ａ）はエジェクトボタン４のロック状態を示す概略図、（ｂ）はロック解除状態を示す概略図である。
【図４】ロック解除状態でエジェクトボタン４が押し込まれた状態を示す概略図である。
【図５】録画装置の内部構成を示すブロック図である。
【図６】警告画面を示す概略図である。
【符号の説明】
【００３８】
１  録画装置
２  筐体
３  スロット
４  エジェクトボタン
５  矩形孔
６  スライド部材
６ａ  レバー
７  収容コネクタ
８  エジェクト棒
１１  支持部材
１６  長板部
１６ａ  一端部
２０  センサ
Ｋ  カード
【図１】
2006092359.tif 000003
【図２】
2006092359.tif 000004
【図３】
2006092359.tif 000005
【図４】
2006092359.tif 000006
【図５】
2006092359.tif 000007
【図６】
2006092359.tif 000008